(57)【要約】  複数のリボン（Ｕ、Ｌ）のうちの所定の数のリボン（Ｕ、Ｌ）の下面に接着剤を塗布し、前記複数のリボン（Ｕ、Ｌ）をスピンドル（１）上へと巻き付けることによってボール紙製の筒を製造するための方法であって、所定の量の補足用高速硬化型接着剤が、スピンドル（１）へと巻き付けられることになっている最後のリボン（Ｕ）の下面へと、前記リボン（Ｕ）の少なくとも１つの長手縁（ＢＵ）の近傍において塗布され、高速硬化型接着剤からなる対応する帯（Ｇ）が、スピンドル（１）の下流において後に実行される切断行為に係る前記リボンの断面（ＳＴ）をまたいで形成されることを特徴とする方法。
2007522966.tif 000002
【特許請求の範囲】
【請求項１】
複数のリボン（Ｕ、Ｌ）をスピンドル（１）上へと巻き付けることによってボール紙製の筒を製造するための方法であって、
前記リボン（Ｕ、Ｌ）のうちの所定の数のリボン（Ｕ、Ｌ）の下面に接着剤が塗布され、スピンドル（１）へと巻き付けられることになっている最後のリボン（Ｕ）の下面に、所定の量の補足用高速硬化型接着剤が、前記リボン（Ｕ）の少なくとも１つの長手縁（ＢＵ）の近傍において塗布されて、高速硬化型接着剤からなる対応する帯（Ｇ）が、スピンドル（１）の下流において後に実行される切断行為に係る前記リボンの断面（ＳＴ）をまたいで形成され、
前記補足用接着剤の少なくとも１つの帯（Ｇ）の塗布が、前記最後のリボン（Ｕ）の所定の長さに対応する間隔で行なわれることを特徴とする方法。
【請求項２】
前記高速硬化型接着剤からなる帯（Ｇ）が、前記リボン（Ｕ）の両方の長手縁（ＢＵ）の近傍に配布されていることを特徴とする請求項１に記載の方法。
【請求項３】
前記高速硬化型接着剤が、ホットメルト接着剤であることを特徴とする請求項１に記載の方法。
【請求項４】
前記高速硬化型接着剤からなる帯（Ｇ）が、スピンドル（１）の上流で前記リボン（Ｕ）の前進経路に沿って作用する２つのインジェクタ（３０）によって配布されることを特徴とする請求項１〜３のいずれか一項に記載の方法。
【請求項５】
全てのリボン（Ｕ、Ｌ）が同じ幅であることを特徴とする請求項１〜４のいずれか一項に記載の方法。
【請求項６】
リボン（Ｕ、Ｌ）の幅が異なっていることを特徴とする請求項１〜４のいずれか一項に記載の方法。
【請求項７】
前記所定の長さが、得ようとする筒の長さによって決まることを特徴とする請求項１に記載の方法。
【請求項８】
紙または紙状材料の複数のリボン（Ｕ、Ｌ）のための供給手段を支持する構造体（Ｓ）、
前記リボン（Ｕ、Ｌ）が巻き付けられるスピンドル（１）であって、前記リボン（Ｕ、Ｌ）が、前記スピンドル（１）と直接接触することになっている第１のリボンを除き、それぞれの下面に接着剤が塗布されたうえで巻き付けられるスピンドル（１）、および
前記リボン（Ｕ、Ｌ）を駆動して前記スピンドル（１）へと巻き付けるための手段（２）
を含み、
上面が筒（Ｔ）の外表面を画定することになっているリボン（Ｕ）の経路に沿って配置されて動作し、補足用高速硬化型接着剤の帯（Ｇ）を、前記リボン（Ｕ）の下面（ＵＶ）のほぼ長手縁（ＢＵ）の近傍において、スピンドル（１）の下流における後の切断作業に係る前記リボン（Ｕ）の断面（ＳＴ）をまたぐように配布する手段（３）
を含むボール紙製の筒の製造装置であって、
前記手段（３）が、前記最後のリボン（Ｕ）の所定の長さに対応する間隔で駆動されることを特徴とする装置。
【請求項９】
前記補足用高速硬化型接着剤の配布手段（３）が、一対のインジェクタ（３０）を、構造体（Ｓ）の出口部分の付近において構造体（Ｓ）に取り付けられたプレート（３２）に、それぞれのノズル（３１）が処理すべきリボンの下面（ＵＶ）へと向けられた状態に取り付けて含み、
前記リボンが、インジェクタ（３０）に対して、前記リボン（Ｕ）の前進方向（Ｘ）と平行な向きであり、かつ２つのインジェクタ（３０）のノズル（３１）から離間して位置している前記プレート（３２）の翼部（３３）によって案内され、前記リボン（Ｕ）が、上面が翼部（３３）を向き下面（ＵＶ）がノズル（３１）を向いた状態で、翼部（３３）とノズル（３１）との間の空間を通過する
ことを特徴とする請求項８に記載の装置。
【請求項１０】
前記補足用高速硬化型接着剤の配布手段（３、３０）に関連して、リボン（Ｕ）の一部の長さを測定することができるプログラム可能な電子手段（４、５）を含み、前記手段（３、３０）が、前記プログラム可能な電子手段（４、５）によって駆動されることを特徴とする請求項８および／または９に記載の装置。                                  
【発明の詳細な説明】
【技術分野】
【０００１】
本発明は、ボール紙製の筒を製造するための装置および方法に関する。
【背景技術】
【０００２】
ボール紙製の筒を製造するための装置としては、基本的に、
紙または類似の材料で作られた２つ以上のリボンを連続的に供給するための手段であって、前記リボンが当該供給手段によって支持された対応するボビンから引き出されるとともに、少なくとも１つのリボンの面のうちの１つに対して所定の量の接着剤が供給される供給手段、
前記供給手段の下流に位置するベルト手段であって、リボンをスピンドル上へと螺旋状に巻き付けてリボンの相互の重なり合いおよび接着によって筒をもたらすため、前記リボンをスピンドル上へと巻き付けて前進させ、重なり合いかつ所定の配置間隔でずらして配置された複数の螺旋を形成するためのベルト手段、および
前記スピンドルの下流に位置する手段であって、連続的な筒を所定の長さを有する部材へと切断するための手段
を含む装置が知られている。
【０００３】
１番目のリボン、すなわちスピンドルと直接接触することになっているリボンには、スピンドルの表面に貼り付くことがないよう、接着剤が塗布されていない。
【０００４】
実際には、スピンドル上かつリボンの供給方向に関して下流に位置するベルト手段が、リボンにスピンドルへと向かう方向の牽引力を作用させることによってリボンを引っ張り、重なり合う螺旋のリボンによって作られる筒が、形成時に、スピンドルの長手軸を中心にして前進および回転する。
【０００５】
切断手段の介入の頻度は、スピンドル上での筒の前進速度、および筒から得ようとする部材の所定の長さに応じて決定される。
【０００６】
このような装置が、国際公開第ＷＯ９５／１０４００号パンフレット、および国際公開第ＷＯ９５／１０３９９号パンフレットに記載されている。
【発明の開示】
【発明が解決しようとする課題】
【０００７】
このような装置から生じる主たる欠点のうちの１つは、切断面における筒の剥離にある。この欠点は、装置の動作速度を高めたとき、ますます顕著になる。
【０００８】
本発明の主たる目的は、この欠点を取り除くことにある。
【課題を解決するための手段】
【０００９】
この効果は、本発明によれば、独立請求項に記載の原理を採用することによって達成される。さらなる特徴は、従属請求項に記載されている。
【発明の効果】
【００１０】
本発明によれば、前記剥離に影響されることなく、装置の動作速度、すなわちリボンの供給速度を高めることができ、したがって筒の製造速度を向上させることができる。
【００１１】
さらに、本発明による装置は、比較的製造が容易であって、費用対効果に優れ、長期の耐用期間の後でも信頼でき、既存の装置を改造することによって、既存の装置の機能に悪影響を及ぼすことなく、もたらされる利点に比べて極めて低い費用で実現できる。
【発明を実施するための最良の形態】
【００１２】
本発明のこれらの利点および特徴、ならびに他の利点および特徴は、以下の説明を添付の図面と関連させつつ検討することで、当業者によって最もよく理解されるであろう。添付の図面は、本発明の実践の例示として与えられたものであり、本発明を限定するものとして解釈すべきではない。
【００１３】
その基本的な構造に関して、添付の図面を参照すると、本発明による装置は、従来の装置と同様に、
紙または紙状材料のリボン（Ｕ、Ｌ）が繰り出される複数のボビン（分かりやすくするため図示されていない）を支持する構造体（Ｓ）、
前記構造体（Ｓ）の壁面に沿ったリボン（Ｕ、Ｌ）の前進方向（Ｘ）に関して前記ボビンの下流に配置され、液体接着剤を収容した対応するタンク（やはり分かりやすくするため図示されていない）から供給を受け、１番目のリボン（Ｌ）を除き、すなわち下面が下流に位置する筒形成用のスピンドル（１）と直接接触することになっているリボン（Ｌ）を除き、前進するリボン（Ｕ、Ｌ）のそれぞれの下面へと所定の量の接着剤を塗布するための複数の接着剤ロール（分かりやすくするため図示されていない）、
製造しようとする筒の方向に沿って長手方向に展開され、リボン（Ｕ、Ｌ）が巻き付けられて重なり合いかつ所定の配置間隔でずらして配置された複数の螺旋が形成されるスピンドル（１）、
関連のモータ手段（２０）を備えており、前記リボン（Ｕ、Ｌ）をスピンドル（１）へと螺旋状に巻き付け、形成される筒を当該スピンドルの長手軸（ｍ−ｍ）に沿って前進させるためのベルト手段（２）、および
筒（Ｔ）を所定の長さを有する部位または筒状部材へと分割するための切断手段（分かりやすくするため図示されていない）
を含む。
【００１４】
すでに述べたように、リボン（Ｕ、Ｌ）に対して作用する供給および接着手段、巻き付け手段、ならびに筒（スピンドル上へと螺旋状に巻き付けられたリボンの重なり合いおよび相互の接着によってもたらされる）を切断するための手段は、当業者にとって公知であり、したがってさらに詳しい説明は省略する。リボン（Ｕ、Ｌ）の下面への接着剤の塗布は、公知の技法によれば、スピンドル（１）の上流において液体接着剤によって行なわれ、液体接着剤は、接着剤塗布位置（すなわち、液体接着剤を収容するタンクが配置されている位置）とスピンドル（１）との間の経路の途中で乾燥してしまうことがないよう、接着力を比較的長い時間にわたって発揮する。
【００１５】
本発明の装置は、スピンドル（１）へと巻き付けられるリボンのうちの少なくとも１つの下面（すなわち、スピンドル１へと向くことになっている面）、さらに詳しくは、最後のリボン、すなわち上面が筒の外表面を画定することになるリボンの下面へと、高速硬化型である所定の量の補足用接着剤を塗布するための手段（３）を含む。
【００１６】
この手段（３）は、分かりやすくするため添付の図面においては図示されていない高速硬化型接着剤のタンクへと、接続されている。
【００１７】
「高速硬化型接着剤」という表現は、強力な接着力が短時間において作用する接着剤を指している。
【００１８】
添付の図面に示した例を参照すると、筒が、螺旋状に巻き付けられて重ね合わされるただ２つのリボンによって構成されており、手段（３）が、最後のリボンであって１番目のリボン（Ｌ）の前進経路の上方の経路に沿って移動する第２のリボン（Ｕ）の下面に、高速硬化型の接着剤を配布している。
【００１９】
リボンが２つではなく３つである場合には、前記手段（３）は、３番目のリボンの下面に接着剤を配布し、すなわち常に最後のリボンの下面に接着剤を配布する。
【００２０】
図面に示した例によれば、前記手段（３）は、「ホットメルト」接着剤の配布に適した配布器を含み、その本体が、前記接着剤ロールの下流かつスピンドル（１）の上流に位置するよう、前記構造体（Ｓ）に固着されている。この配布器（３）は、一対のインジェクタ（３０）を、構造体（Ｓ）の出口部分の付近において構造体（Ｓ）に固着させたプレート（３２）に取り付けて含み、インジェクタ（３０）のそれぞれのノズル（３１）が、処理すべきリボンの下面（ＵＶ）（この例では、２番目のリボンＵの下面）に向けられている。前記インジェクタ（３０）に対応し、処理対象のリボン（Ｕ）は、リボンの前進方向（Ｘ）と平行な向きでありかつ２つのインジェクタ（３０）のノズル（３１）から離間して位置している前記プレート（３２）の翼部（３３）によって、当該リボン（Ｕ）が上面が翼部（３３）を向き下面（ＵＶ）がノズル（３１）を向いた状態で翼部（３３）とノズル（３１）との間の空間を通過するような様相で、案内される。前記インジェクタ（３０）は、所定の量の高速硬化型接着剤（例えば、「ホットメルト」接着剤）を、スピンドル（１）に向かって前進するリボン（Ｕ）の下面（ＵＶ）の少なくとも１つの長手縁に対して配布するようなやり方で、配置されて機能する。好ましくは、インジェクタ（３０）が、所定の量の高速硬化型接着剤を、最後のリボン（Ｕ）が下方に位置するリボン（Ｌ）と同じ幅を有している場合には、最後のリボン（Ｕ）の両方の長手縁（ＢＵ）の近傍に配布し、上側のリボン（Ｕ）の幅が下側のリボン（Ｌ）よりも大きい場合には、一方の縁（ＢＵ）に対してのみ配布する。言うまでもないが、２番目の場合においても、上側のリボンすなわち最後のリボン（Ｕ）の両方の長手縁に、高速硬化型の接着剤を配布することができる。
【００２１】
これら２つの例のうちの最初、すなわち２つのリボン（Ｕ）および（Ｌ）が同じ幅を有している場合について述べると、インジェクタ（３０）が、高速硬化型接着剤の２つの帯（Ｇ）を最後のリボン（Ｕ）の下面（ＵＶ）へと、後にスピンドル（１）の下流において作用する切断手段の動作に係る断面（ＳＴ）をまたぐように塗布するようなやり方で、所定の時間にわたって駆動される。この断面（ＳＴ）は、図３により明らかに示されているとおり、リボン（Ｕ）の長手軸（ｕ−ｕ）に関して所定の角度（δ）だけ傾いている。この角度（δ）は、リボンがスピンドルへと巻き付けられるときに、各リボン（Ｌ、Ｕ）の長手軸の平面投影がスピンドル（１）の長手軸（ｍ−ｍ）と形成する角度の余角であり（図４参照）、さらに、この角度は、高速硬化型接着剤の帯（Ｇ）のそれぞれが前記断面（ＳＴ）と形成する角度に相当する。
【００２２】
図４に示されているとおり、リボン（Ｕ、Ｌ）の螺旋をスピンドル（１）上へと巻き付けることによって形成した筒を切断するとき、高速硬化型接着剤の帯（Ｇ）と交差する断面において切断が行なわれるため、両方の帯（Ｇ）が切断され、帯（Ｇ）のそれぞれの一部分が、切断面の上流および下流の両方に位置する。したがって、切断が実行されるとき、この断面（ＳＴ）の上流および下流の両者において、対応するリボン（Ｕ、Ｌ）の縁が互いに堅固に固定されている。このようにして、従来の装置によって製造される筒では、図８に概念的に示すように、筒の端面すなわち前記切断が交差する面において、「ＳＦ」で示されているとおり最後のリボンの縁が下方に位置するリボンから分離してしまうが、このような剥離現象が回避できる。これとは反対に、図９に示されているとおり、本発明による筒（Ｔ）は、このような現象と無縁である。
【００２３】
２番目の例について述べると、最後のリボン（Ｕ）、すなわち上面が筒（Ｔ）の外表面を画定することになるリボンが、下方に位置するリボン（Ｌ）よりも幅広いため、所定の量の補足用高速硬化型接着剤を長手縁（ＢＵ）の一方のみに配布すれば、充分であろう。図５の図解においては、接着剤の帯（Ｇ）が、紙面において向こう側に位置しているにもかかわらず連続線で表わされており、リボン（Ｕ）の右側の縁（ＢＵ）の近傍に位置している。図６の図解においては、符号（ＢＬ）が付された不連続な線が、スピンドル（１）へと螺旋状に巻き付けられて突き合わされた下側のリボン（Ｌ）の両縁に相当し、接着剤の帯（Ｇ）は、これをより強調するため、最後のリボン（Ｕ）の下面に位置しているにもかかわらず連続線で表わされている。
【００２４】
補足用接着剤の帯（Ｇ）を、１つだけ塗布すべき場合、両方のインジェクタを駆動する代わりに、対応するインジェクタ（３０）のみが駆動される。
【００２５】
すなわち、２つのインジェクタ（３０）が、それぞれのノズル（３１）を前記断面（ＳＴ）によって定められる面に位置させて有するようなやり方で配置され、高速硬化型接着剤の２つの帯（Ｇ）を断面（ＳＴ）にまたがって塗布すべく、同時に駆動される。
【００２６】
２つのインジェクタ（３０）のノズル（３１）間の間隔は、リボン（Ｕ）の幅（ＬＡ）によって決まる。
【００２７】
インジェクタ（３０）の駆動は、製造しようとする筒の出来上がりの長さに基づいて行なわれ、すなわち、スピンドル（１）上に螺旋状に巻き付けられて接着されたリボンを切断することによって得る筒の長さの関数として行なわれる。例えば、リボン（Ｕ）の幅が「ＬＡ」であり、スピンドルの直径が「Ｄ」であり、製造しようとする筒の長さが「ＬＴ」であるとすると、インジェクタ（３０）は、そこをリボン（Ｕ）のＬＴ×Ｄ×π／ＬＡに等しい長さの部分が通過したときに、所定の時間にわたって駆動される。インジェクタの駆動時間は、補足用高速硬化型接着剤のそれぞれの帯（Ｇ）に望まれる長さに基づいて、前もって設定される。
【００２８】
インジェクタ（３０）のノズル（３１）の目前を前進するリボン（Ｕ）の量の制御は、エンコーダ（４）を、表面が摩擦材料によって覆われてなる遊動ローラの軸に取り付けることによって、行なうことができる。リボンが、この表面をローラを巡って通過し、当該ローラの回転を決定する。手段（３）の上流に配置されるこのような制御システムは、この技術分野において周知である。前記エンコーダ（４）は、エンコーダ（４）からデータを受け取って、それらを前もって示された式に基づいて処理でき、所定の長さ値に達したときにインジェクタ（３０）の駆動を実行することができるプログラム可能な電子ユニット（５）に接続されている。このような電子制御手段の構造および動作は、産業自動化分野の技術者にとって公知であり、したがって詳しく説明することはしない。
【００２９】
本発明によれば、作業方法が、螺旋状に巻き付けられる２つのリボン（Ｕ、Ｌ）の相互の接着を得るために通常用いられる接着剤に加えて、所定の量の補足用高速硬化型接着剤（例えば、「ホットメルト」接着剤）を、最後から２番目のリボンと最後のリボンとの境界において、後にスピンドル（１）の下流において作用する切断手段の動作に係る断面（ＳＴ）をまたぐように、塗布することを含んでいる。
【００３０】
実施においては、ここで採用した課題解決のアイデアの範囲から離れることなく、したがって本件発明の特許に与えられる保護の範囲から外れることなく、全ての構成上の詳細を、形状、寸法、要素の配置、および使用される材料の性質に関して、任意の等価なやり方で様々に変更することができる。
【図面の簡単な説明】
【００３１】
【図１】本発明による装置の一部分の斜視図である。
【図２】図１の装置において処理される２番目のリボンの下面へと接着剤を塗布するためのインジェクタに関する詳細を、下方からの斜視で示した図である。
【図３】図１の装置において処理される２番目のリボンの下面の一部分の概略図であり、特に２つの接着線の位置関係が示されている。
【図４】同じ幅の２つのリボンの螺旋巻きによって得られた筒の一部分の概略の平面図であり、特に図３の２つの接着線が示されている。
【図５】装置のスピンドルを含む部位への進入における幅の異なる２つの帯の概略の平面図であり、この図においては、幅広い上側リボンの下面に塗布された接着線が、紙面の反対の面に位置しているにもかかわらず示されている。
【図６】図５の２つのリボンを巻き付けることによって得られた筒の一部の概略の平面図である。
【図７】補足用の高速硬化型接着剤を塗布するための手段を駆動する制御システムを、簡略化して示したブロック図である。
【図８】従来のボール紙製の筒の端面における剥離についての概念図である。
【図９】図８と同様の図であるが、本発明によって得られたボール紙製の筒を示している。
【図１】
2007522966.tif 000003
【図２】
2007522966.tif 000004
【図３】
2007522966.tif 000005
【図４】
2007522966.tif 000006
【図５】
2007522966.tif 000007
【図６】
2007522966.tif 000008
【図７】
2007522966.tif 000009
【図８】
2007522966.tif 000010
【図９】
2007522966.tif 000011
【国際調査報告】
2007522966.tif 000012
2007522966.tif 000013